(57)【特許請求の範囲】
【請求項１】
符号化されたMIMOシステムにおけるリンクアダプテーションのための方法であって、
第１のチャネル品質情報γＣＱＩの値を受信することと、
リンク内の複数のレイヤのうち少なくとも１つのレイヤｒに関して、混合自動再送要求（HARQ）フィードバックに関連付けられている前記第１のチャネル品質情報γＣＱＩの値をスケーリングするためのHARQ倍率μｒを取得することと、
少なくとも前記HARQ倍率μｒに基づいてスケーリングした前記第１のチャネル品質情報γＣＱＩの値を第２のチャネル品質情報γ＾ｒの値として解釈することと、を含み、
前記HARQ倍率μｒは、データ送信成功を示す確認応答（ACK）の場合増加し、データ送信不成功を示す否定応答（NACK）の場合減少する、
ことを特徴とする方法。
【請求項２】
請求項１に記載の方法において、
前記HARQフィードバックに関連付けられている前記HARQ倍率μｒを取得することは、
受信される単一レイヤHARQフィードバックに応じて、前記複数のレイヤの全てのために前記HARQ倍率μｒを調整することと、
受信される多数レイヤHARQフィードバックに応じて、該多数レイヤHARQフィードバックを受信したレイヤｒのためだけに前記HARQ倍率μｒを調整することと、を含む、
ことを特徴とする方法。
【請求項３】
請求項２に記載の方法において、
前記受信される単一レイヤHARQフィードバックに応じて、前記複数のレイヤの全てのために前記HARQ倍率μｒを調整することは、
受信される単一レイヤHARQ ACKに応じて、前記複数のレイヤの全てのために前記HARQ倍率μｒを上げることと、
受信される単一レイヤHARQ NACKに応じて、前記複数のレイヤの全てのために前記HARQ倍率μｒを下げることと、を含む、
ことを特徴とする方法。
【請求項４】
請求項２に記載の方法において、
前記受信される多数レイヤHARQフィードバックに応じて、該多数レイヤHARQフィードバックを受信したレイヤｒのためだけに前記HARQ倍率μｒを調整することは、
受信される多数レイヤHARQ ACKに応じて、該多数レイヤHARQ ACKを受信したレイヤｒのためだけに前記HARQ倍率μｒを上げることと、
受信される多数レイヤHARQ NACKに応じて、該多数レイヤHARQ NACKを受信したレイヤｒのためだけに前記HARQ倍率μｒを下げることと、を含む、
ことを特徴とする方法。
【請求項５】
請求項１乃至４の何れか一項に記載の方法において、
前記HARQフィードバックに関連付けられている前記HARQ倍率μｒを取得することは、前記確認応答（ACK）の場合の前記HARQ倍率μｒの増加率が前記否定応答（NACK）の場合の前記HARQ倍率μｒの減少率よりも大きい下限ベースモード又は前記確認応答（ACK）の場合の前記HARQ倍率μｒの増加率が前記否定応答（NACK）の場合の前記HARQ倍率μｒの減少率よりも小さい上限ベースモードで実行される、
ことを特徴とする方法。
【請求項６】
請求項５に記載の方法において、
前記第２のチャネル品質情報γ＾ｒの値を、上りチャネルの状態を示す固有ベースのビーム形成（EBB）倍率βｒに関連付けることをさらに含む、
ことを特徴とする方法。
【請求項７】
請求項６に記載の方法において、
前記EBB倍率βｒ＝λｒ／｜｜ＨＷν｜｜２であり、
ＨＴは推定された上りチャネル、
λｒはｒｔｈに順序付けられるＨＨＴの固有値、
Ｗνはアンテナ仮想化符号行列、
であることを特徴とする方法。
【請求項８】
符号化されたMIMOシステムにおけるリンクアダプテーションのための装置であって、
第１のチャネル品質情報γＣＱＩの値を受信する受信部と、
リンク内の複数のレイヤのうち少なくとも１つのレイヤｒに関して、混合自動再送要求（HARQ）フィードバックに関連付けられている前記第１のチャネル品質情報γＣＱＩの値をスケーリングするためのHARQ倍率μｒを取得する取得部と、
リンク内の複数のレイヤのうち少なくとも１つのレイヤｒに関して、少なくとも前記HARQ倍率μｒに基づいてスケーリングした前記第１のチャネル品質情報γＣＱＩの値を第２のチャネル品質情報γ＾ｒの値として解釈する解釈部と、を備え、
前記HARQ倍率μｒは、データ送信成功を示す確認応答（ACK）の場合増加し、データ送信不成功を示す否定応答（NACK）の場合減少する、
ことを特徴とする装置。
【請求項９】
実行可能でコンピュータ読取可能なプログラムコードの命令を記憶したコンピュータ読取可能な記憶媒体であって、
前記命令は、データ処理装置が請求項１乃至７の何れか一項に記載の方法を実行できるようにする、
ことを特徴とする記憶媒体。
【発明の詳細な説明】
【技術分野】
【０００１】
本発明の実施形態は、概して、リンクアダプテーションに関する。より詳細には、本発明の実施形態は、符号化された多入力多出力（MIMO）システムにおけるリンクアダプテーションのための方法及び装置に関する。
【背景技術】
【０００２】
無線通信の技術分野において、チャネルフェージングは、無線通信チャネルの基本的な特徴である。一方、チャネルフェージングは、無線通信チャネルの瞬間的な状態の時間と共に変わり得る。送信のチャネル依存適応は、チャネルフェージングを対処する１つの方法である。チャネルが良好状態である場合、低レベルの誤り保護を使用してデータをチャネル上に送信することができる。対照的に、チャネルが悪いフェージング状態である場合、情報データ速度の低下を引き起こす高レベルの誤り保護が必要である。誤り保護のレベルは、例えば、変調方式及びチャネル符号化率を変えることによって変わり得る。情報データ速度を最大にするために、送信の誤り保護レベルを、瞬間的なチャネル状態に適用すべきである。無線通信システムでは、これはよく「リンクアダプテーション」と呼ばれる。
【０００３】
典型的な無線通信システムでは、ユーザ機器（UE）にデータを送信するために、通信チャネルの多くのパラメータが、基地局（BS）によって設定される。パラメータが適切に設定されている場合、データが確実に正しく送信される。したがって、これらのパラメータは、データ送信の間、種々の特徴に応じて調整される。実際、UEは、チャネルの瞬間的なチャネル状態を直接決定することができるが、BSはそうすることができない。したがって、UEに対するデータ送信をBSが行うためには、UEは、チャネルの品質を示す情報をBSにフィードバックとして提供する必要がある。
【０００４】
一般的に、UEは、チャネル品質指標（CQI）値として知られる１以上のスカラー量を送信することによって、チャネルの品質を示す。そしてそのことは、情報送信をサポートするチャネル能力を表す目的のためにチャネルの品質を示す。例えば、CQI値は、チャネル測定に基づいて、推奨される変調方式及び符号率を示すことができる。例えば、CQI値は、チャネル測定に基づいてUEにより計算される信号対干渉雑音比（SINR）の値とすることができる。CQIは、様々な方法で定義することができるが、例えば、LTE環境では４ビットのバイナリコードで表すことができる。換言すると、０から１５の整数群から選択された値は、情報送信をサポートするチャネル能力を表すためにUEからフィードバックされてもよい。しかしながら、高速パケットアクセス（HSPA）の環境において、CQIは５ビットで示される。UEからのCQI値を、リンクアダプテーションに適用してもよい。なぜならリンクの性能は、一般的に、CQIフィードバックに依存するので、リンクアダプテーションシステムは、性能目標を満たすために制御ループを実装することができる。
【０００５】
MIMO技術を採用する無線通信システムにおいて、通信リンクは、多くの場合、本発明の文脈において「複数のレイヤ」と呼ばれる複数のリンクによって表される。各レイヤは、個々のチャネル品質を持つ場合もあるし、複数のレイヤが同じチャネル品質を持つ場合もある。多くのMIMOシステムでは、各レイヤ毎に誤り保護のレベルを適用可能である。そのようなシステムにおいて、各レイヤに対応する個々のCQI値を推定することは有益である。各レイヤの品質を示す個々のCQIを用いることで、リンクアダプテーションはより効果的かつ正確に実装される。
【０００６】
2009年11月13日に出願された「補正チャネル品質情報のための方法及び装置」と題する中国特許出願第200910222552.6は、チャネル品質情報を補正する方法が開示されている。それは、複数のレイヤのうち個々のレイヤの品質を推定する方法を提供するものの、推定処理中に遅延が生じる。一方、推定ステップがUE側で実装されると、UEは、アンテナの仮想化に関する情報を通知される必要があり、このことはUE側において変調を行わなければならないという結果を招く。したがって、これらの方法及び装置は、LTE TDDシステムにおいて固有系TM8（送信モード8）が使用される場合、受信側の等化SINRを提供できない。
【発明の概要】
【発明が解決しようとする課題】
【０００７】
既存のアプローチにおける上述の問題点に鑑み、符号化された多入力多出力MIMOシステムにおいて、リンクアダプテーションのための方法及び装置を提供することが当該技術分野で必要とされている。
【課題を解決するための手段】
【０００８】
本発明の一実施形態によれば、符号化されたMIMOシステムにおけるリンクアダプテーションのための方法が提供される。この方法は、第１のチャネル品質情報γＣＱＩを受信することと、リンク内の複数のレイヤのうち少なくとも１つのレイヤｒに関して、混合自動再送要求（HARQ）フィードバックに関連付けられているHARQ倍率μｒを取得することと、少なくとも前記HARQ倍率μｒに基づいて、前記第１のチャネル品質情報γＣＱＩを第２のチャネル品質情報γ＾ｒに解釈することと、を含み、前記第２のチャネル品質情報γ＾ｒは、前記複数のレイヤのうち前記少なくとも１つのレイヤｒを選択するためのものである、ことを特徴とする。
【０００９】
本発明の一実施形態によれば、前記HARQフィードバックに関連付けられている前記HARQ倍率μｒを取得することは、受信される単一レイヤHARQフィードバックに応じて、前記複数のレイヤの全てのために前記HARQ倍率μｒを調整することと、受信される多数レイヤHARQフィードバックに応じて、該多数レイヤHARQフィードバックを受信したレイヤｒのためだけに前記HARQ倍率μｒを調整することと、を含む、ことを特徴とする。
【００１０】
本発明の一実施形態によれば、前記受信される単一レイヤHARQフィードバックに応じて、前記複数のレイヤの全てのために前記HARQ倍率μｒを調整することは、受信される単一レイヤHARQ ACKに応じて、前記複数のレイヤの全てのために前記HARQ倍率μｒを上げることと、受信される単一レイヤHARQ NACKに応じて、前記複数のレイヤの全てのために前記HARQ倍率μｒを下げることと、を含む、ことを特徴とする。
【００１１】
本発明の一実施形態によれば、前記受信される多数レイヤHARQフィードバックに応じて、該多数レイヤHARQフィードバックを受信したレイヤｒのためだけに前記HARQ倍率μｒを調整することは、受信される多数レイヤHARQ ACKに応じて、該多数レイヤHARQ ACKを受信したレイヤｒのためだけに前記HARQ倍率μｒを上げることと、受信される多数レイヤHARQ NACKに応じて、該多数レイヤHARQ NACKを受信したレイヤｒのためだけに前記HARQ倍率μｒを下げることと、を含む、ことを特徴とする。
【００１２】
本発明の一実施形態によれば、符号化されたMIMOシステムにおけるリンクアダプテーションのための装置が提供される。この装置は、第１のチャネル品質情報γＣＱＩを受信する受信部と、リンク内の複数のレイヤのうち少なくとも１つのレイヤｒに関して、混合自動再送要求（HARQ）フィードバックに関連付けられているHARQ倍率μｒを取得する取得部と、リンク内の複数のレイヤのうち少なくとも１つのレイヤｒに関して、少なくとも前記HARQ倍率μｒに基づいて、前記第１のチャネル品質情報γＣＱＩを第２のチャネル品質情報γ＾ｒに解釈する解釈部と、を備え、前記第２のチャネル品質情報γ＾ｒは、前記複数のレイヤのうち前記少なくとも１つのレイヤｒを選択するためのものである、ことを特徴とする。
【００１３】
本発明の一実施形態によれば、前記取得部は、受信される単一レイヤHARQフィードバックに応じて、前記複数のレイヤの全てのために前記HARQ倍率μｒを調整する第１の調整部と、受信される多数レイヤHARQフィードバックに応じて、該多数レイヤHARQフィードバックを受信したレイヤｒのためだけに前記HARQ倍率μｒを調整する第２の調整部と、を備える、ことを特徴とする。
【００１４】
本発明の一実施形態によれば、前記第１の調整部は、受信される単一レイヤHARQ ACKに応じて、前記複数のレイヤの全てのために前記HARQ倍率μｒを上げる第１の増加部と、受信される単一レイヤHARQ NACKに応じて、前記複数のレイヤの全てのために前記HARQ倍率μｒを下げる第１の減少部と、を備える、ことを特徴とする。
【００１５】
本発明の一実施形態によれば、前記第２の調整部は、受信される多数レイヤHARQ ACKに応じて、該多数レイヤHARQ ACKを受信したレイヤｒのためだけに前記HARQ倍率μｒを上げる第２の増加部と、受信される多数レイヤHARQ NACKに応じて、該多数レイヤHARQ NACKを受信したレイヤｒのためだけに前記HARQ倍率μｒを下げる第２の減少部と、を備える、ことを特徴とする。
【００１６】
本発明の他の特徴及び実施形態の利点は、以下の実施形態の記載を、本発明の実施形態を示す添付図面と併せて読むことで明らかになるであろう。
【００１７】
本発明の実施形態が例示され、実施形態の利点は添付図面を参照しながら以下で詳述される。
【図面の簡単な説明】
【００１８】
【図１】本発明の方法及び装置が実装される無線通信システムを示すブロック図である。
【００１９】
【図２】（a）は、典型的なCQI測定を示すブロック図である。（b）は、本発明の一実施形態に係るリンクアダプテーションを示すブロック図である。
【００２０】
【図３】本発明の一実施形態に係る符号化されたMIMOシステムにおける、リンクアダプテーションのための方法のフローチャートを示す図である。
【００２１】
【図４】本発明の一実施形態に係る少なくとも１つのレイヤｒに関して、HARQ倍率μｒを取得する方法のフローチャートを示す図である。
【００２２】
【図５】本発明の一実施形態に係る符号化されたMIMOシステムにおける、リンクアダプテーションのための装置を示すブロック図である。
【発明を実施するための形態】
【００２３】
本発明の種々の実施形態について図面を参照して詳細に説明する。各図のフローチャート及びブロック図は、本発明の実施形態に係るコンピュータプログラム製品によって実行可能な装置、方法、構造及び機能示す。この点に関して、フローチャート又はブロック図内の各ブロックは、特定の機能を実現するための実行可能な１以上の命令を含むモジュール、プログラム又はコードの一部を表す。なお、いくつかの代替案では、ブロックで示される機能は、図に示す順序とは異なる順序になり得ることに留意すべきである。例えば、連続して図示される２つのブロックは、関連する機能に拠るが、実質的に並行又は逆の順序で行うことができる。また、ブロック図及び／又はフローチャートの各ブロックとそれら組み合わせは、特定の機能／動作を実行するための専用ハードウェアによって、又は専用ハードウェアとコンピュータの命令との組み合わせによって、実装され得ることにも留意すべきである。
【００２４】
表１では、本発明で使用される用語が、明確化の目的のために説明される。
【表１】
0005840299.tif 000002
【００２５】
図１は、本発明の方法及び装置が実装される無線通信システムを示すブロック図である。図１に示すように、無線通信システム100は、BS110と複数のUE（UE122、UE124・・・UE126）と備える。なお、図１ではBS110が１つのみ示されるが、当業者であれば複数のBSを無線通信システム100内に設けることを想到し得る。BS110は、データを送信及び／又は受信する目的のためにM1アンテナを備え、各UEは、複数のアンテナ（例えば、M2アンテナなど）を備える。ここで、M1とM2は、１より大きい整数である。本発明の一実施形態によれば、BS110は、eNBでもよい。以下、本発明の様々な実施形態を、複数のeNBと複数のUEとから構成される環境において説明する。しかし、当業者は、他の無線通信システムに本発明の方法及び装置を実装してもよい。
【００２６】
MIMO技術は、現在の無線通信システム（例えば、LTEやWiMAXなど）において広く使用されてきた。固有ベースの符号化された（precoded）空間多重MIMOでは、すでに3GPP LTE TDDでのTM8の伝送方式を採用している。LTE TDDの固有系TM8において、eNBは、チャネル相反性を利用して推定した上りチャネルに基づいて、各レイヤ毎に固有ビームを決定することができる。スケジューリング及びリンクアダプテーションは部分的に、UEからのCQIフィードバックに依存する。
【００２７】
図２（a）は、典型的なCQI測定を示すブロック図である。なお、UE 230AからフィードバックされたCQIは、無線チャネルの通信品質の測定であることが理解される。基準信号１，．．．，Kは、CQIフィードバックを取得するために複数のレイヤに送信される。
【００２８】
図２（b）は、本発明の一実施形態に係るリンクアダプテーションを示すブロック図である。ユーザデータは、レイヤ１ 210BからレイヤN 212Bの各々に送信される。LTE TDDの固有系TM8が選択された本発明の環境では、スケジューリング及びリンクアダプテーションの目的のためにCQIフィードバックに基づいて、各レイヤの受信側等化SINRを決定する必要がある。同図に示すように、本発明に係る処理部240Bは、CQIフィードバック及びHARQ ACK／NACKを読み、次に、各レイヤ（レイヤ1 210BからレイヤN 212B）のための受信側等化SINRを推定する。
【００２９】
本発明の一実施形態によれば、符号化されたMIMOシステムにおけるリンクアダプテーションのための方法が提供される。この方法は、第１のチャネル品質情報γＣＱＩを受信することと、リンク内の複数のレイヤのうち少なくとも１つのレイヤｒに関して、混合自動再送要求（HARQ）フィードバックに関連付けられているHARQ倍率μｒを取得することと、少なくとも前記HARQ倍率μｒに基づいて、前記第１のチャネル品質情報γＣＱＩを第２のチャネル品質情報γ＾ｒに解釈することと、を含み、前記第２のチャネル品質情報γ＾ｒは、前記複数のレイヤのうち前記少なくとも１つのレイヤｒを選択するためのものである。
【００３０】
図３は、本発明の一実施形態に係る符号化されたMIMOシステムにおける、リンクアダプテーションのための方法のフローチャートを示す図である。ブロックS302では、第１のチャネル品質情報γＣＱＩがUEから受信される。第１のチャネル品質情報γＣＱＩは、上述した段落で説明したように４ビットのチャネル品質指標のような様々な形式のものであってもよい。
【００３１】
本発明の一つの目的は、CQIフィードバックに基づいて、各々のレイヤのための受信側等化SINRを提供することであり、このため、以下のブロックS304及びS306は、各レイヤｒに対して実行される。例えば、レイヤｒは、Nレイヤ（レイヤ１，．．．，レイヤN）のうち１つのレイヤを表し、ｒは、１からNまでの整数群から選択される値である。
【００３２】
本発明の一実施形態によれば、混合自動再送要求（HARQ）が、各レイヤの受信側等化SINRを推定するために採用される。当業者であれば、HARQは、検出可能だが訂正不能なエラーのために、高速前方誤り訂正符号とARQ誤り制御とを組み合わせたものであることを理解できよう。標準ARQにおいて、冗長ビットは、巡回冗長検査（CRC）などの誤り検出符号を用いて送信されるデータに追加される。HARQにおいて、符号は、エラー検出（ED）（例えば、リード・ソロモン符号又はターボ符号など）に加えて、前方誤り訂正（FEC）を実行できるように使用される。これは、全てのエラーのサブセットを訂正しながら、最初の送信において送られた冗長ビットだけでは訂正不能なエラーを訂正するためにARQに頼るためである。一般的に、エラーは、エラー検出符号（CRCなど）によって、UE側でチェックされる。データがCRCを通ると、UEは、送信成功を示すために確認応答（ACK）を送信する。データがCRCを通らないと、UEは、再送信を要求するために否定応答（NACK）を送信する。したがって、ACK／NACKは、データが正常に送信されたかどうかを示す。
【００３３】
本発明は、HARQフィードバックの意味に基づいて、HARQ倍率を算出する方法を提供し、かつ各レイヤに対するさらなるリンクアダプテーションのため適切にスケーリングされた値が提供されるように、ブロックS302で受信したCQIのスケーリングをHARQ倍率を用いて行う。S304では、リンク内の複数のレイヤのうち少なくとも１つのレイヤｒに関して、混合自動再送要求（HARQ）フィードバックに関連付けられているHARQ倍率μｒが取得される。
【００３４】
本発明の文脈において、HARQフィードバックは、単一レイヤHARQフィードバック及び多数レイヤHARQフィードバックに分割される。したがって、本発明の一実施形態では、レイヤｒのHARQ倍率μｒは、単一レイヤHARQフィードバック又は多数レイヤHARQフィードバックが受信されたか否かに応じて調整される。
【００３５】
S306において、第１のチャネル品質情報γＣＱＩは、少なくともHARQ倍率μｒに基づいて、第２のチャネル品質情報γ＾ｒに解釈される。ここで、第２のチャネル品質情報γ＾ｒは、複数のレイヤのうち少なくとも１つのレイヤｒを選択するためのものである。
【００３６】
以下、HARQ倍率μｒを調整する詳細を、本発明の様々な実施形態を参照して説明する。先行技術は、HARQ ACK／NACKのフィードバックからCQI倍率を求める方法を開示するが、この方法は、単一レイヤの環境に適しているものの、複数のレイヤの環境で使用されるときに正確に求めることができない。
【００３７】
本発明の一実施形態によれば、HARQフィードバックに関連付けられているHARQ倍率μｒを取得することは、受信される単一レイヤHARQフィードバックに応じて、複数のレイヤの全てのためにHARQ倍率μｒを調整することと、受信される多数レイヤHARQフィードバックに応じて、その多数レイヤHARQフィードバックを受信したレイヤｒのためだけにHARQ倍率μｒを調整することと、を含む。
【００３８】
当業者であれば、単一レイヤ送信及び／又は多数レイヤ送信が、無線通信システムにおいて使用され得ることを理解できよう。したがって、異なるレイヤにとって単一レイヤ／多数レイヤHARQフィードバックは、HARQ倍率μｒに影響を及ぼし得る。さらに、多数レイヤ送信と単一レイヤ送信それぞれにACK／NACKが存在する。ACK／NACKは、HARQ倍率μｒを増加又は減少させるべきか否かを判定するために用いられる。
【００３９】
本発明の一実施形態によれば、受信される単一レイヤHARQフィードバックに応じて、複数のレイヤの全てのためにHARQ倍率μｒを調整することは、受信される単一レイヤHARQ ACKに応じて、複数のレイヤの全てのためにHARQ倍率μｒを上げることと、受信される単一レイヤHARQ NACKに応じて、複数のレイヤの全てのためにHARQ倍率μｒを下げることと、を含む。
【００４０】
本発明の一実施形態によれば、受信される多数レイヤHARQフィードバックに応じて、その多数レイヤHARQフィードバックを受信したレイヤｒのためだけにHARQ倍率μｒを調整することは、受信される多数レイヤHARQ ACKに応じて、その多数レイヤHARQ ACKを受信したレイヤｒのためだけにHARQ倍率μｒを上げることと、受信される多数レイヤHARQ NACKに応じて、その多数レイヤHARQ NACKを受信したレイヤｒのためだけにHARQ倍率μｒを下げることと、を含む。
【００４１】
複数のレイヤ（例えば、図２に示すようなレイヤ１，．．．，レイヤＮ）の各レイヤｒに関して、単一レイヤ送信においてACKが受信された場合、HARQ倍率μｒ（ｒ＝１，．．．，Ｎ）は増加される。一方、多数レイヤ送信においてACKが受信された場合、そのACKを受信したレイヤｒのためだけにHARQ倍率μｒが増加され、一方で他のレイヤｓ（ｓ≠ｒ）のHARQ倍率μｓはそのままである。NACKフィードバックについて、複数のレイヤ（例えば、図２に示すようなレイヤ１，．．．，レイヤＮ）の各レイヤｒに関して、単一レイヤ送信においてNACKが受信された場合、HARQ倍率μｒ（ｒ＝１，．．．，Ｎ）は減少される。一方、多数レイヤ送信においてNACKが受信された場合、そのNACKを受信したレイヤｒのためだけにHARQ倍率μｒが減少され、一方で他のレイヤｓ（ｓ≠ｒ）のHARQ倍率μｓはそのままである。HARQ倍率μｒを算出する方法では、増加及び減少動作において異なるステップが使用される。
【００４２】
HARQフィードバックに関連付けられるHARQ倍率μｒを取得するための詳細について、図４を参照して説明する。図４は、本発明の一実施形態に係る少なくとも１つのレイヤｒに関して、HARQ倍率μｒを取得する方法のフローチャートを示す図である。図４に示すように、フローは、HARQフィードバックのタイプが決定されるブロックS402で始まる。HARQフィードバックのタイプに関しては、２つの点がある。１つ目は、データ送信が成功したかどうか（すなわち、ACK又はNACKが受信されたか否か）に関する。２つ目は、受信したHARQフィードバックが単一レイヤ送信におけるものか又は多数レイヤ送信におけるものかに関する。したがって、１つのHARQフィードバックは４つのタイプ、すなわち単一レイヤHARQ ACK、多数レイヤHARQ ACK、単一レイヤHARQ NACK及び多数レイヤHARQ NACKの何れかに分類される。図４では、上記４つのタイプそれぞれが１つの枝に対応する。
【００４３】
最初の枝（ブロックS402とS412）を例にとって説明すると、ブロックS402でHARQフィードバックは単一レイヤHARQ ACKであると判定されると、フローはS412のブロックに進む。次に、ブロックS412において、各レイヤのHARQ倍率μｒ（ｒ＝１，．．．，Ｎ）が増加される。次に、フローは、「終了」ブロックに進む。
【００４４】
２番目の枝（ブロックS404及びS414）について、ブロックS404でHARQフィードバックは多数レイヤHARQ ACKであると判定されると、フローはS414のブロックに進む。このブロックにおいて、ACKを受信したレイヤｒのHARQ倍率μｒだけが増加され、一方で他のレイヤｓ（ｓ≠ｒ）のHARQ倍率μｓはそのままである。次に、フローは、「終了」ブロックに進む。図４に示したフローチャートから、複数のレイヤ１，．．．，Ｎにおいて各レイヤｒのためにHARQ倍率μｒを取得できる。S406やS408などの他の枝の詳細は以下では省略する。
【００４５】
本発明の一実施形態によれば、混合自動再送要求（HARQ）フィードバックに関連付けられているHARQ倍率μｒを取得することは、様々な方法で行われる。具体的には、HARQ倍率μｒを計算するための２つのモードが提供される。ここで、CQI報告に保守的な補償が採用されている状況では下限ベースモードが適用される。したがって、前回のHARQ倍率は相対的に小さいのですぐに増加されるべきである。一方、CQI報告に積極的な変調が採用されている状況では上限ベースモードが適用される。したがって、前回のHARQ倍率は相対的に大きいのですぐに減少されるべきである。
【００４６】
本発明の一実施形態によれば、いったん１つのモードが起動されると、それは相互に切り替えることができない。単純にするために、増加及び減少動作においてデシベルの刻み幅を示す「Δ」を使用する。
【００４７】
下限ベースモードの場合：
１．単一レイヤ送信において、ACK／NACKを受信した場合、
【数１】
0005840299.tif 000003
２．多数レイヤ送信において、ｒｔｈレイヤがACK／NACKを受信した場合、
【数２】
0005840299.tif 000004
【数３】
0005840299.tif 000005
【００４８】
これまでの説明から、当業者であれば、上記の式の意味を理解するであろう。例として式１をとって説明すると、式１は、受信されるACKに応じて、複数のレイヤ１，．．．，Ｎの各レイヤのための０．５の増加動作と、受信されるNACKに応じて、０．０５の減少動作と、を示す。
【００４９】
上限ベースモードの場合：
１．単一レイヤ送信において、ACK／NACKを受信した場合、
【数４】
0005840299.tif 000006
２．多数レイヤ送信において、ｒｔｈレイヤがACK／NACKを受信した場合、
【数５】
0005840299.tif 000007
【数６】
0005840299.tif 000008
【００５０】
上記の観点から、当業者であれば、上記の式２乃至６の意味を理解するであろう。さらに、上記式１乃至６に示した特定の値は、概説のためだけに用いた値である。当業者であれば、HARQ倍率μｒの算出の際、他の値を用いてもよい。
【００５１】
本発明の一実施形態は、符号化されたMIMOシステムにおけるリンクアダプテーションのための方法であって、第２のチャネル品質情報γ＾ｒを、上りチャネルの状態を示す固有ベースのビーム形成（EBB）倍率βｒに関連付けることをさらに含む。
【００５２】
図３の参照に戻って、ブロックS302乃至S308は、HARQ倍率μｒとEBB倍率βｒの両方が第２のチャネル品質情報γ＾ｒの生成に関与する、符号化されたMIMOシステムにおけるリンクアダプテーションのための方法を示す。ブロックS302乃至S306は、上述した説明と同じなので、簡略化のためにここではブロックS308のみ詳述する。点線で示されたブロックS308は、第２のチャネル品質情報γ＾ｒを、上りチャネルの状態を示す固有ベースのビーム形成（EBB）倍率βｒに関連付けるステップを表す。
【００５３】
この実施形態において、EBB倍率βｒは、UEから受信したCQIをスケーリングする際に考慮される。例えば、EBB倍率βｒは、以下のように決定することができる。
【００５４】
【数７】
0005840299.tif 000009
ここで、ＨＴは推定された上りチャネル、λｒはｒｔｈに順序付けられるＨＨＴの固有値、Ｗνはアンテナ仮想化符号行列、である。
【００５５】
本発明の一実施形態は、符号化されたMIMOシステムにおけるリンクアダプテーションのための方法であって、第２のチャネル品質情報γ＾ｒを、アンテナ仮想化の状態を示すアンテナ仮想化倍率αｒに関連付けることをさらに含む。アンテナ仮想化は基地局において行われるので、アンテナ仮想化によって課せられる効果は、UEから受信したCQIをスケーリングする際に考慮されるべきである。
【００５６】
図３の参照に戻って、ブロックS302乃至S310は、HARQ倍率μｒ、EBB倍率βｒ及びアンテナ仮想化倍率αｒが第２のチャネル品質情報γ＾ｒの生成に関与する、符号化されたMIMOシステムにおけるリンクアダプテーションのための方法を示す。ブロックS302乃至S308は、上述した説明と同じなので、簡略化のためにここではブロックS310のみ詳述する。点線で示されたブロックS310は、第２のチャネル品質情報γ＾ｒを、アンテナ仮想化の状態を示すアンテナ仮想化倍率αｒに関連付けるステップを表す。
【００５７】
本発明の一実施形態によれば、HARQ倍率μｒは、アンテナ仮想化倍率αｒに関連する。上述した説明によれば、HARQフィードバックに関連付けられているHARQ倍率μｒを取得することは、下限ベースモード又は上限ベースモードで実行される。異なるモードに関して、αｒの計算方法が変化する。換言すれば、αｒとμｒの計算は、互いに相関する。
【００５８】
本発明の一実施形態によれば、アンテナ仮想化倍率αｒは、以下のように計算することができる。
【００５９】
下限ベースモードの場合：
【数８】
0005840299.tif 000010
ここで、λ′２は、（ＨＷν）（ＨＷν）Ｈの最小固有値である。
【００６０】
上限ベースモードの場合：
【数９】
0005840299.tif 000011
ここで、ｃｒは、定数値である。
【００６１】
各レイヤのための定数値ｃｒは、異なる値を割り当ててもいいし、同じ値にしてもよい。例えば、本発明の一実施形態によれば、各レイヤの係数ｃｒは上限値である１に設定することができる。しかし、各レイヤの特定の状態を考慮して、アンテナ仮想化倍率αｒは、異なる定数値に設定してもよい。
【００６２】
本発明の一実施形態によれば、下限ベースモードにおいて、式１乃至３は、HARQ倍率μｒを計算するために用いられる。そして、式８は、アンテナ仮想化倍率αｒを計算するために用いられる。上限ベースモードにおいて、式４乃至７は、HARQ倍率μｒを計算するために用いられる。そして、式９は、アンテナ仮想化倍率αｒを計算するために用いられる。
【００６３】
上記の観点から、第２のチャネル品質情報γ＾ｒを生成する際に、複数の係数が考慮される。例えば、第２のチャネル品質情報γ＾ｒを生成する際に、HARQ倍率μｒが個別に用いられる。あるいは、第２のチャネル品質情報γ＾ｒを生成する際に、HARQ倍率μｒとEBB倍率βｒの両方が考慮される。本発明の一実施形態によれば、HARQ倍率μｒとEBB倍率βｒとアンテナ仮想化倍率αｒとが第２のチャネル品質情報γ＾ｒを生成するために適用される。この場合、リンク内の複数のレイヤのうち少なくとも１つのレイヤｒに関して、γ＾ｒ＝αｒ・βｒ・μｒ・γＣＱＩである。
【００６４】
本発明の一実施形態によれば、第１のチャネル品質情報γＣＱＩは、チャネル品質指標で表される。そして、第２のチャネル品質情報γ＾ｒは、信号対干渉雑音比SINRの形式で表される。
【００６５】
本発明の一実施形態によれば、第１のチャネル品質情報γＣＱＩを受信するステップは、定期的に行われる。例えば、そのステップは、所定の間隔を契機とすることができる。それに代えて、この受信ステップは、様々な無線通信システム内の特定の構成に従い、特定のイベントに応答して実行されてもよい。
【００６６】
本発明の一実施形態によれば、図３において示されるステップは、eNB側で実装されてもよい。
【００６７】
表２は、従来技術と本発明の解決方法の比較を示している。本発明は、より良い効果を達成し得ることが理解される。
【表２】
0005840299.tif 000012
【００６８】
本発明の一実施形態によれば、符号化されたMIMOシステムにおけるリンクアダプテーションのための装置が提供される。図５は、本発明の一実施形態に係る符号化されたMIMOシステムにおける、リンクアダプテーションのための装置を示すブロック図である。図５において、装置５００は、第１のチャネル品質情報γＣＱＩを受信する受信部５１０と、リンク内の複数のレイヤのうち少なくとも１つのレイヤｒに関して、混合自動再送要求（HARQ）フィードバックに関連付けられているHARQ倍率μｒを取得するHARQスケーリング部５２０と、リンク内の複数のレイヤのうち少なくとも１つのレイヤｒに関して、少なくともHARQ倍率μｒに基づいて、第１のチャネル品質情報γＣＱＩを第２のチャネル品質情報γ＾ｒに解釈する解釈部５３０と、を備える。ここで、第２のチャネル品質情報γ＾ｒは、複数のレイヤのうち少なくとも１つのレイヤｒを選択するためのものである。
【００６９】
図５において、EBBスケーリング部540及びアンテナ仮想化スケーリング部550は、点線のブロックで示される。これは、EBBスケーリング部540及びアンテナ仮想化スケーリング部550は、装置500の中に存在してもしなくてもよいことを示す。換言すれば、これらEBBスケーリング部540及びアンテナ仮想化スケーリング部550は、装置500のオプションであり、装置５００は、これら１以上のユニットなしでも実施することができる。
【００７０】
本発明の一実施形態によれば、HARQスケーリング部520は、受信される単一レイヤHARQフィードバックに応じて、複数のレイヤの全てのためにHARQ倍率μｒを調整する第１の調整部と、受信される多数レイヤHARQフィードバックに応じて、その多数レイヤHARQフィードバックを受信したレイヤｒのためだけにHARQ倍率μｒを調整する第２の調整部と、を備えてもよい。
【００７１】
本発明の一実施形態によれば、第１の調整部は、受信される単一レイヤHARQ ACKに応じて、複数のレイヤの全てのためにHARQ倍率μｒを上げる第１の増加部と、受信される単一レイヤHARQ NACKに応じて、複数のレイヤの全てのためにHARQ倍率μｒを下げる第１の減少部と、を備えてもよい。
【００７２】
本発明の一実施形態によれば、第２の調整部は、受信される多数レイヤHARQ ACKに応じて、その多数レイヤHARQ ACKを受信したレイヤｒのためだけにHARQ倍率μｒを上げる第２の増加部と、受信される多数レイヤHARQ NACKに応じて、その多数レイヤHARQ NACKを受信したレイヤｒのためだけにHARQ倍率μｒを下げる第２の減少部と、を備えてもよい。
【００７３】
本発明の一実施形態によれば、HARQスケーリング部520は、さらに、下限ベースモード又は上限ベースモードで構成されてもよい。
【００７４】
本発明の一実施形態によれば、装置は、さらに、第２のチャネル品質情報γ＾ｒを、上りチャネルの状態を示す固有ベースのビーム形成（EBB）倍率βｒに関連付けるEBBスケーリング部540を備えてもよい。
【００７５】
本発明の一実施形態によれば、EBB倍率βｒ＝λｒ／｜｜ＨＷν｜｜２であり、ＨＴは推定された上りチャネル、λｒはｒｔｈに順序付けられるＨＨＴの固有値、Ｗνはアンテナ仮想化符号行列、である。
【００７６】
本発明の一実施形態によれば、装置は、さらに、第２のチャネル品質情報γ＾ｒを、アンテナ仮想化の状態を示すアンテナ仮想化倍率αｒに関連付けるアンテナ仮想化スケーリング部550を備えてもよい。
【００７７】
本発明の一実施形態によれば、HARQ倍率μｒは、アンテナ仮想化倍率αｒに関連する。
【００７８】
本発明の一実施形態によれば、アンテナ仮想化倍率αｒは、
【数１０】
0005840299.tif 000013
【００７９】
本発明の一実施形態によれば、γ＾ｒ＝αｒ・βｒ・μｒ・γＣＱＩである。
【００８０】
本発明の一実施形態によれば、実行可能でコンピュータ読取可能なプログラムコードの命令を記憶したコンピュータ読取可能な記憶媒体であって、命令は、データ処理装置が本発明における上述した方法を実行できるようにする。
【００８１】
符号化されたMIMOシステムにおけるリンクアダプテーションのための方法の開示によれば、当業者は、本発明に記載の方法を実施するための装置及びコンピュータ読取可能な記憶媒体を実現できる。
【００８２】
上記説明に基づいて、当業者は、本発明を、装置、方法又はコンピュータプログラム製品に具現化し得る。したがって、本発明は、具体的には、以下の方法で実施することができる。その方法とは、すなわち、完全なハードウェア、完全なソフトウェア（ファームウェア、常駐ソフトウェア、マイクロコードなどを含む）又は一般に「回路」、「モジュール」又は「システム」と呼ばれるソフトウェア部品及びハードウェア部品の組み合わせによる方法である。さらに、本発明は、コンピュータ使用可能プログラムコードを含む任意の有形媒体で具現化されたコンピュータプログラム製品の形式を採用してもよい。
【００８３】
１以上のコンピュータ使用可能又はコンピュータ読取可能な媒体の任意の組み合わせを使用してもよい。コンピュータ使用可能又はコンピュータ読取可能な媒体は、例えば、電気、磁気、光学、電磁気、赤外線、半導体システム、手段、装置、又は伝播媒体などであるが、これらに限定される訳ではない。コンピュータ読取可能な媒体のより具体的な例（非網羅的リスト）は、１以上のリードを有する電気的結合、ポータブルコンピュータの磁気ディスク、ハードディスク、ランダムアクセスメモリ（RAM）、読み出し専用メモリ（ROM）、消去可能なプログラム可能読み出し専用メモリ（EPROM又はフラッシュ）、光ファイバ、ポータブルコンパクトディスク読み出し専用メモリ（CD- ROM） 、光記憶装置、例えばインターネット又はイントラネットをサポートする伝送媒体、又は磁気記憶装置などを含む。なお、コンピュータ使用可能又はコンピュータ読取可能な媒体は、プログラムが印刷された紙やその他適切な媒体であってもいいことに留意すべきである。なぜなら、プログラムは、上記紙やその他媒体を電気的にスキャンし、コンパイルし、その後適切な方法の下で解釈又は処理し、電気的に取得されるからである。そして、必要に応じてコンピュータメモリ内に記憶される。本文書の文脈において、コンピュータ使用可能又はコンピュータ読取可能な媒体は、命令実行システム、装置、デバイスにとって実施可能なプログラム又は命令実行システム、デバイスに関連するプログラムを含み、記憶し、通信し、伝搬し、又は送信すればどのような媒体でもよい。コンピュータ使用可能媒体は、ベースバンドに含まれるか又は搬送波の一部として伝搬されるデータ信号を備え、コンピュータ使用可能プログラムコードを具現化してもよい。コンピュータ使用可能プログラムコードは、無線、有線、ケーブル、又はRFなどを含む適切な任意の媒体により送信されるが、これらに限定されない。
【００８４】
本発明の動作を実行するためのコンピュータプログラムコードは、１つ以上のプログラム設計言語の任意の組み合わせによって記述することができる。プログラム設計言語としては、例えば、Java（登録商標）、Smalltalk 、C++などのオブジェクト指向プログラム設計言語、「C」プログラム設計言語又は同様のプログラム設計言語などの従来の手続き型プログラム設計言語を含む。プログラムコードは、完全に又は部分的にユーザコンピュータ上で実行される。又は、独立したソフトウェアパッケージとして実行される。又は、部分的にユーザコンピュータ上で実行され、一部がリモートコンピュータ上で実行される。又は、完全にリモートコンピュータあるいはサーバ上で実行される。後者の状況では、リモートコンピュータは、ローカルエリアネットワーク（LAN）又はワイドエリアネットワーク（WAN）、あるいは接続された外部のコンピュータ（例えば、サービスプロバイダによってインターネット経由で接続された外部のコンピュータ）などを含む様々なネットワークを通してユーザコンピュータに接続される。
【００８５】
さらに、フローチャート中の各ブロック及び／又はブロック図及びそれらの各ブロックの組み合わせは、コンピュータプログラムの命令により実施することができる。これらのコンピュータプログラムの命令は、汎用コンピュータ、専用コンピュータ又は他のプログラム可能なデータ処理装置に提供することができる。コンピュータ又は他のプログラム可能なデータ処理装置を介して実行されるこれらの命令により、フローチャート中の各ブロック及び／又はブロック図における所定の機能／動作を実施するための手段を生成するようなマシンを生成することができる。
【００８６】
これらのコンピュータプログラムの命令は、特定の方法で機能するようにコンピュータ又は他のプログラム可能なデータ処理装置を指示することが可能なコンピュータ読取可能な媒体に記憶される。これにより、コンピュータ読取可能な媒体に記憶された命令は、フローチャート及び／又はブロック図における所定の機能／動作を実施するための命令手段を含む製品を生成することができる。
【００８７】
コンピュータプログラムの命令は、コンピュータ又は他のプログラム可能なデータ処理装置上にロードすることができる。これにより、コンピュータ又は他のプログラム可能なデータ処理装置上で、コンピュータで実装した処理を生成するための一連の動作ステップを実施できる。これにより、コンピュータ又は他のプログラム可能なデータ処理装置上での命令実行は、フローチャート及び／又はブロック図における所定の機能／動作を実施する処理を提供する。
【００８８】
本発明の例となる実施形態が、図面を参照して記載されたが、本発明はこれらの実施形態に限定されない。当技術分野における通常の知識を有する者であれば、本発明の範囲及び原理から逸脱することなく実施形態に対して様々な変更を加えることができる。全ての変更及び修正は、添付の特許請求の範囲に規定されるような本発明の範囲に含まれる。
（付記１）
符号化されたMIMOシステムにおけるリンクアダプテーションのための方法であって、
第１のチャネル品質情報γＣＱＩを受信することと、
リンク内の複数のレイヤのうち少なくとも１つのレイヤｒに関して、混合自動再送要求（HARQ）フィードバックに関連付けられているHARQ倍率μｒを取得することと、
少なくとも前記HARQ倍率μｒに基づいて、前記第１のチャネル品質情報γＣＱＩを第２のチャネル品質情報γ＾ｒに解釈することと、を含み、
前記第２のチャネル品質情報γ＾ｒは、前記複数のレイヤのうち前記少なくとも１つのレイヤｒを選択するためのものである、
ことを特徴とする方法。
（付記２）
付記１に記載の方法において、
前記HARQフィードバックに関連付けられている前記HARQ倍率μｒを取得することは、
受信される単一レイヤHARQフィードバックに応じて、前記複数のレイヤの全てのために前記HARQ倍率μｒを調整することと、
受信される多数レイヤHARQフィードバックに応じて、該多数レイヤHARQフィードバックを受信したレイヤｒのためだけに前記HARQ倍率μｒを調整することと、を含む、
ことを特徴とする方法。
（付記３）
付記２に記載の方法において、
前記受信される単一レイヤHARQフィードバックに応じて、前記複数のレイヤの全てのために前記HARQ倍率μｒを調整することは、
受信される単一レイヤHARQ ACKに応じて、前記複数のレイヤの全てのために前記HARQ倍率μｒを上げることと、
受信される単一レイヤHARQ NACKに応じて、前記複数のレイヤの全てのために前記HARQ倍率μｒを下げることと、を含む、
ことを特徴とする方法。
（付記４）
付記２に記載の方法において、
前記受信される多数レイヤHARQフィードバックに応じて、該多数レイヤHARQフィードバックを受信したレイヤｒのためだけに前記HARQ倍率μｒを調整することは、
受信される多数レイヤHARQ ACKに応じて、該多数レイヤHARQ ACKを受信したレイヤｒのためだけに前記HARQ倍率μｒを上げることと、
受信される多数レイヤHARQ NACKに応じて、該多数レイヤHARQ NACKを受信したレイヤｒのためだけに前記HARQ倍率μｒを下げることと、を含む、
ことを特徴とする方法。
（付記５）
付記１乃至４の何れか一つに記載の方法において、
前記HARQフィードバックに関連付けられている前記HARQ倍率μｒを取得することは、下限ベースモード又は上限ベースモードで実行される、
ことを特徴とする方法。
（付記６）
付記５に記載の方法において、
前記第２のチャネル品質情報γ＾ｒを、上りチャネルの状態を示す固有ベースのビーム形成（EBB）倍率βｒに関連付けることをさらに含む、
ことを特徴とする方法。
（付記７）
付記６に記載の方法において、
前記EBB倍率βｒ＝λｒ／｜｜ＨＷν｜｜２であり、
ＨＴは推定された上りチャネル、
λｒはｒｔｈに順序付けられるＨＨＴの固有値、
Ｗνはアンテナ仮想化符号行列、
であることを特徴とする方法。
（付記８）
付記７に記載の方法において、
前記第２のチャネル品質情報γ＾ｒを、アンテナ仮想化の状態を示すアンテナ仮想化倍率αｒに関連付けることをさらに含む、
ことを特徴とする方法。
（付記９）
付記８に記載の方法において、
HARQ倍率μｒは、アンテナ仮想化倍率αｒに関連する、
ことを特徴とする方法。
（付記１０）
付記９に記載の方法において、
アンテナ仮想化倍率αｒは、
【数１１】
0005840299.tif 000014
である、
ことを特徴とする方法。
（付記１１）
付記１０に記載の方法において、
γ＾ｒ＝αｒ・βｒ・μｒ・γＣＱＩである、
ことを特徴とする方法。
（付記１２）
符号化されたMIMOシステムにおけるリンクアダプテーションのための装置であって、
第１のチャネル品質情報γＣＱＩを受信する受信部と、
リンク内の複数のレイヤのうち少なくとも１つのレイヤｒに関して、混合自動再送要求（HARQ）フィードバックに関連付けられているHARQ倍率μｒを取得する取得部と、
リンク内の複数のレイヤのうち少なくとも１つのレイヤｒに関して、少なくとも前記HARQ倍率μｒに基づいて、前記第１のチャネル品質情報γＣＱＩを第２のチャネル品質情報γ＾ｒに解釈する解釈部と、を備え、
前記第２のチャネル品質情報γ＾ｒは、前記複数のレイヤのうち前記少なくとも１つのレイヤｒを選択するためのものである、
ことを特徴とする装置。
（付記１３）
付記１２に記載の装置において、
前記取得部は、
受信される単一レイヤHARQフィードバックに応じて、前記複数のレイヤの全てのために前記HARQ倍率μｒを調整する第１の調整部と、
受信される多数レイヤHARQフィードバックに応じて、該多数レイヤHARQフィードバックを受信したレイヤｒのためだけに前記HARQ倍率μｒを調整する第２の調整部と、を備える、
ことを特徴とする装置。
（付記１４）
付記１３に記載の装置において、
前記第１の調整部は、
受信される単一レイヤHARQ ACKに応じて、前記複数のレイヤの全てのために前記HARQ倍率μｒを上げる第１の増加部と、
受信される単一レイヤHARQ NACKに応じて、前記複数のレイヤの全てのために前記HARQ倍率μｒを下げる第１の減少部と、を備える、
ことを特徴とする装置。
（付記１５）
付記１３に記載の装置において、
前記第２の調整部は、
受信される多数レイヤHARQ ACKに応じて、該多数レイヤHARQ ACKを受信したレイヤｒのためだけに前記HARQ倍率μｒを上げる第２の増加部と、
受信される多数レイヤHARQ NACKに応じて、該多数レイヤHARQ NACKを受信したレイヤｒのためだけに前記HARQ倍率μｒを下げる第２の減少部と、を備える、
ことを特徴とする装置。
（付記１６）
付記１２乃至１５の何れか一つに記載の装置において、
前記取得部は、さらに、下限ベースモード又は上限ベースモードで構成される、
ことを特徴とする装置。
（付記１７）
付記１６に記載の装置において、
前記第２のチャネル品質情報γ＾ｒを、上りチャネルの状態を示す固有ベースのビーム形成（EBB）倍率βｒに関連付ける第１の関連付部をさらに備える、
ことを特徴とする装置。
（付記１８）
付記１７に記載の装置において、
前記EBB倍率βｒ＝λｒ／｜｜ＨＷν｜｜２であり、
ＨＴは推定された上りチャネル、
λｒはｒｔｈに順序付けられるＨＨＴの固有値、
Ｗνはアンテナ仮想化符号行列、
であることを特徴とする装置。
（付記１９）
付記１８に記載の装置において、
前記第２のチャネル品質情報γ＾ｒを、アンテナ仮想化の状態を示すアンテナ仮想化倍率αｒに関連付ける第２の関連付部をさらに備える、
ことを特徴とする装置。
（付記２０）
付記１９に記載の装置において、
HARQ倍率μｒは、アンテナ仮想化倍率αｒに関連する、
ことを特徴とする装置。
（付記２１）
付記２０に記載の装置において、
アンテナ仮想化倍率αｒは、
【数１２】
0005840299.tif 000015
である、
ことを特徴とする装置。
（付記２２）
付記２１に記載の装置において、
γ＾ｒ＝αｒ・βｒ・μｒ・γＣＱＩである、
ことを特徴とする装置。
（付記２３）
実行可能でコンピュータ読取可能なプログラムコードの命令を記憶したコンピュータ読取可能な記憶媒体であって、
前記命令は、データ処理装置が付記１乃至１１の何れか一つに記載の方法を実行できるようにする、
ことを特徴とする記憶媒体。
【図１】
0005840299.tif 000016
【図２】
0005840299.tif 000017
【図３】
0005840299.tif 000018
【図４】
0005840299.tif 000019
【図５】
0005840299.tif 000020